(57)【要約】【課題】供給される洗浄用水の水圧（流量）等に対応して、洗浄用水の吐出方向を調整でき、ボウル部内に洗浄用水を旋回させて広く行き渡らせることができる水洗便器を提案すること。【解決手段】本発明の水洗便器１は、吐出ノズル４からボウル部２の内面に沿って周方向に洗浄用水を流す水道直結式の水洗便器１である。この水洗便器１は、吐出ノズル４を支持する支持部７と、吐出ノズル４のうち支持部７によって支持される箇所からずれた箇所を押圧して吐出ノズル４からの吐出方向を調整する吐出方向調整部１００と、を備える。【選択図】図１
2014020037.tif 000002
【特許請求の範囲】
【請求項１】
吐出ノズルからボウル部の内面に沿って周方向に洗浄用水を流す水道直結式の水洗便器であって、
前記吐出ノズルを支持する支持部と、
前記吐出ノズルのうち前記支持部によって支持される箇所からずれた箇所を押圧して前記吐出ノズルからの吐出方向を調整する吐出方向調整部と、を備えることを特徴とする水洗便器。
【請求項２】
前記吐出方向調整部は、前記吐出ノズルの前記吐出方向を上下に調整する吐出方向上下調整部と、前記吐出ノズルの前記吐出方向を左右に調整する吐出方向左右調整部とを有することを特徴とする請求項１に記載の水洗便器。
【発明の詳細な説明】
【技術分野】
【０００１】
本発明は、ボウル部内に周方向に流れる旋回流を発生させてボウル部内面の洗浄を行う水洗便器に関するものである。
【背景技術】
【０００２】
従来から、特許文献１等によって、ボウル部内に周方向に流れる旋回流を発生させて、ボウル部内面の洗浄を行う、上水道から洗浄水が直接供給される水道直結式の水洗便器が提案されている。
【０００３】
この水洗便器は、ボウル部の一方の側端部且つ後端部に位置する部分に前後に貫通する洗浄液噴出口を形成し、ボウル洗浄装置から送られた洗浄液をこの洗浄液噴出口から前方に向けて噴出することで、ボウル部内に周方向に流れる旋回流を発生させている。
【先行技術文献】
【特許文献】
【０００４】
【特許文献１】特開２００８−９５４４９号公報
【発明の概要】
【発明が解決しようとする課題】
【０００５】
しかし、地域や配管構成等によっては、洗浄液噴出口に送られる水道水等の洗浄液の水圧（流量）等にバラツキがある。そのため、上述したタンクを用いない水道直結式の水洗便器では、洗浄液噴出口からの洗浄液の吐出方向が、予定していた方向（旋回流を効率良く発生させる方向等）に吐出されない場合があった。
【０００６】
そこで、上記事情を鑑みて、本発明では、供給される洗浄用水の水圧（流量）等に対応して、洗浄用水の吐出方向を調整でき、ボウル部内に洗浄用水を旋回させて広く行き渡らせることができる水洗便器を提案することを課題とする。
【課題を解決するための手段】
【０００７】
上記課題を解決するために本発明の水洗便器は、吐出ノズルからボウル部の内面に沿って周方向に洗浄用水を流す水道直結式の水洗便器であって、前記吐出ノズルを支持する支持部と、前記吐出ノズルのうち前記支持部によって支持される箇所からずれた箇所を押圧して前記吐出ノズルからの吐出方向を調整する吐出方向調整部と、を備えることを特徴とする。
【０００８】
また、前記吐出方向調整部は、前記吐出ノズルの前記吐出方向を上下に調整する吐出方向上下調整部と、前記吐出ノズルの前記吐出方向を左右に調整する吐出方向左右調整部とを有することが好ましい。
【発明の効果】
【０００９】
本発明の水洗便器では、供給される洗浄用水の水圧（流量）等に合わせて、吐出方向調整部により吐出ノズルを押圧することで、この吐出ノズルからの吐出方向を調整することができる。したがって、本発明では、供給される洗浄用水の水圧（流量）等に対応して、吐出ノズルからの洗浄用水の吐出方向を調整でき、ボウル部内に洗浄用水を旋回させて広く行き渡らせることができる。
【図面の簡単な説明】
【００１０】
【図１】本発明の第一実施形態の水洗便器の要部を示し、（ａ）は誘導流路の前端を含む面で切断した正断面図であり、（ｂ）は（ａ）のＡ−Ａ線を含む面で切断した平断面図である。
【図２】同上の水洗便器を示す分解斜視図である。
【図３】本発明の第二実施形態の水洗便器の要部を示し、（ａ）は誘導流路の前端を含む面で切断した正断面図であり、（ｂ）は（ａ）のＢ−Ｂ線を含む面で切断した平断面図である。
【発明を実施するための形態】
【００１１】
本発明を添付図面に示す実施形態に基づいて説明する。本発明の第一実施形態の水洗便器１は、タンクを用いない水道直結式の水洗便器であり、例えば図２に示すような構造となっている。
【００１２】
水洗便器１は、便器本体１０、支持フレーム１１、便器付設装置１２、トラップ部１３、後部カバー１４、側部カバー１５、及び便座１６と便蓋１７とを備えた上部カバー１８から主体が構成される。便器本体１０は、支持フレーム１１の前部に螺子等により固定されて、支持フレーム１１に支持される。また、便器付設装置１２は、支持フレーム１１の後部に螺子等により固定されて、支持フレーム１１に支持される。トラップ部１３は、便器付設装置１２の下方に配置される。便器付設装置１２と支持フレーム１１とトラップ部１３とは、後部カバー１４と側部カバー１５と上部カバー１８と便器本体１０とによって隠蔽される。
【００１３】
便器本体１０は、外郭となる平断面略Ｃ字状のスカート部８と、この内側の上部に配置されるボウル部２と、スカート部８の内側のボウル部２上に配置されるリム部９とが溶着一体化されて構成される。便器本体１０は合成樹脂製となっている。ボウル部２の底部には、水溜め部２０と、後方のトラップ部１３に連通接続される排出用筒部（図示せず）とを備える。トラップ部１３は、トラップケースと、この内側でモータにより後端が上下回動するトラップ（図示せず）とを備える。このトラップの前端に、ボウル部２の排出用筒部が連通接続される。
【００１４】
便器付設装置１２は、ボウル部２内に洗浄水を吐出するための吐出ノズル４と、上水道（図示せず）にタンクを介さずに直接接続されて吐出ノズル４に給水を行う給水管４０と、吐出ノズル４の吐水の制御を行う制御部（図示せず）とを備える。吐出ノズル４は、非変形性の一直線状の円筒体で形成されている。便器付設装置１２は、さらに局部洗浄用の温水洗浄装置、乾燥装置、及び脱臭装置等を備える。これらの温水洗浄装置、乾燥装置及び脱臭装置は、リム部９の後部に設けた開口部９０を通して、それぞれ局部洗浄、局部乾燥、脱臭を行う。
【００１５】
続いて、図１（ａ）及び図１（ｂ）を参照して、ボウル部２とリム部９と吐出ノズル４についてさらに詳しく説明する。
【００１６】
リム部９は、図１（ａ）に示すように、ボウル部２の上端開口縁部全周にわたって内側に向かって延びた上板部９１と、この先端（内端）から下方に向かって延びた側板部９２と、その先端（下端）から外側に向かって延びた下板部９３とから構成される。
【００１７】
ボウル部２の上端部には、上下に延びた外周壁部２１と、この下端から内側に向かって延びた底壁部２２とを備える。底壁部２２の上面２３は、ボウル部２の内側に向けてわずかに下り勾配がついた構造となっている。この外周壁部２１と底壁部２２とリム部９の下板部９３とで囲まれて内方に開口した開口溝部２４が、ボウル部２の上端部に略全周に亘って形成されている。本実施形態においては、ボウル部２の側方の後側の上部において、開口溝部２４の始端部２５の内側に開口溝部２４の終端部２６が重なったような構造となっている。
【００１８】
詳しくは、外周壁部２１は、平面視で円環状をなしているが、ボウル部２の側方の後部においては、図１（ｂ）に示すように、外側に一旦折れ曲がった後、前方に折れ曲がった平面視略Ｌ字状をなしている。
【００１９】
この外側に折れ曲がった変曲箇所から平断面円弧状に補助誘導壁６が形成されており、この補助誘導壁６は、変曲箇所の手前（後側）の外周壁部２１に連続している。この補助誘導壁６は、ボウル部２の側方の後側の上部において、ボウル部２の内面から上方に突出させて設けている。
【００２０】
ボウル部２の側方の後側の内面の上端部（つまり平面視略Ｌ字状の外周壁部２１の内側面とこれに連続する底壁部２２の上面２３）と、この平面視略Ｌ字状の外周壁部２１の内側に沿うように位置する補助誘導壁６の外側面６０とで囲んで、誘導流路５が形成されている。誘導流路５は、吐出ノズル４から吐出された洗浄用水を誘導してボウル部２内に周方向に流れる旋回流を発生させるためのものである。
【００２１】
この平面視略Ｌ字状の外周壁部２１のうち、外側に延びた後部壁２１０に、ノズル挿入用孔３を前後方向に貫通させて設けている。ノズル挿入用孔３には、吐出ノズル４が後方から挿通され、誘導流路５内に吐出ノズル４が収められる。つまり、吐出ノズル４は、ボウル部２の側方の後側の内面の上端部（平面視略Ｌ字状の外周壁部２１の内側面とこれに連続する底壁部２２の上面２３）と補助誘導壁６とで挟まれて、誘導流路５内に収められる。
【００２２】
誘導流路５内には、この吐出ノズル４を支持するための支持部７が、誘導流路５の前端よりも後方にずれた位置に設けられている。支持部７と後述する吐出方向調整部１００は、吐出ノズル４を、その軸方向である吐出方向が所定の方向に向くように保持する。ここでいう所定の方向とは、ボウル部２内に効率良く旋回流を発生させる方向を意味する。また、吐出ノズル４から吐出された洗浄用水は、その流れの方向が誘導流路５によって誘導可能となっている。
【００２３】
本実施形態では、支持部７は、図１（ａ）に示すように、吐出ノズル４の先端部（前端部）を上方から支持する上支持部７０と、下方から支持する下支持部７１と、右方から支持する右側支持部７２と、左方から支持する左側支持部７３と、で構成されている。上支持部７０及び下支持部７１は、吐出ノズル４の先端部の前後方向の略同じ位置を挟持している。また、右側支持部７２及び左側支持部７３は、吐出ノズル４の先端部の前後方向の略同じ位置を挟持している。吐出ノズル４の先端部は、この４つの支持部７０，７１，７２，７３で支持されることで、軸方向（つまりは、吐出方向）が所定の方向に仮固定される。
【００２４】
上支持部７０は、リム部９の下板部９３の下面から下方に突出させて形成されている。そして、上支持部７０の突出先端面（下端面）のうち吐出ノズル４に接触する箇所は、吐出ノズル４の外周面と同じ曲率の円弧状となっている。これにより、上支持部７０は、密着性が高い状態で吐出ノズル４を支持できる。
【００２５】
下支持部７１は、ボウル部２の上端部の底壁部２２の上面２３から上方に突出させて形成されている。そして、下支持部７１の突出先端面（上端面）のうち吐出ノズル４に接触する箇所は、吐出ノズル４の外周面と同じ曲率の円弧状となっている。これにより、下支持部７１は、密着性が高い状態で吐出ノズル４を支持できる。
【００２６】
右側支持部７２は、平面視略Ｌ字状の外周壁部２１のうち、前方に延びた側部壁２１１の内側面から内側（左側）に突出させて形成されている。そして、右側支持部７２の突出先端面（左端面）のうち吐出ノズル４に接触する箇所は、吐出ノズル４の外周面と同じ曲率の円弧状となっている。これにより、右側支持部７２は、密着性が高い状態で吐出ノズル４を支持できる。
【００２７】
左側支持部７３は、補助誘導壁６の外側面６０から外側（右側）に突出させて形成されている。そして、左側支持部７３の突出先端面（右端面）のうち吐出ノズル４に接触する箇所は、吐出ノズル４の外周面と同じ曲率の円弧状となっている。これにより、左側支持部７３は、密着性が高い状態で吐出ノズル４を支持できる。
【００２８】
なお、本実施形態では、上支持部７０及び下支持部７１と、右側支持部７２及び左側支持部７３とは、前後方向にずらして配置している。これにより吐出ノズル４を後方から差し込む際に、上支持部７０及び下支持部７１による上下移動の規制と右側支持部７２及び左側支持部７３による左右移動の規制のタイミングをずらすことができ、差し込みやすくなっている。
【００２９】
吐出ノズル４は、この４つの支持部７０，７１，７２，７３で挟持された状態で、先端の吐出口４１の周囲に、この吐出口４１の向き、つまり、吐出ノズル４の吐出方向を調整するための調整用隙間が形成される。つまり、吐出ノズル４は挟持された状態で、吐出口４１とリム部９の下板部９３との間、吐出口４１とボウル部２の上端部の底壁部２２の上面２３との間、吐出口４１と側部壁２１１の内側面との間、及び吐出口４１と補助誘導壁６の外側面６０との間に調整用隙間ができる。
【００３０】
本実施形態の水洗便器１は、この調整用隙間において吐出口４１の向き、つまり、吐出ノズル４の吐出方向を微調整するための吐出方向調整部１００を備えている。
【００３１】
吐出方向調整部１００は、吐出ノズル４のうち、支持部７で支持された箇所から前後方向にずれた箇所を押圧することによって、吐出ノズル４の吐出方向を調整する。吐出方向調整部１００は、吐出ノズル４を押圧する量を自在に調整可能である。
【００３２】
本実施形態では、吐出方向調整部１００は、吐出ノズル４の吐出方向を上下に調整する吐出方向上下調整部と、吐出ノズル４の吐出方向を左右に調整する吐出方向左右調整部と、を有する。吐出方向上下調整部は、図１（ａ）及び図１（ｂ）に示すように、下向き調整用螺子１００ａと上向き調整用螺子１００ｂである。吐出方向左右調整部は、右向き調整用螺子１００ｃと左向き調整用螺子１００ｄである。これらの向き調整用螺子１００ａ，１００ｂ，１００ｃ，１００ｄは、軸部に螺旋上のねじ溝を備える。向き調整用螺子１００ａ，１００ｂ，１００ｃ，１００ｄは、頭部を工具により回転させることで、吐出ノズル４の先端部を押圧する量を自在に調整可能である。
【００３３】
下向き調整用螺子１００ａは、吐出ノズル４の先端の吐出口４１の向き（吐出方向）を下側に傾けるためのものである。本実施形態では、下向き調整用螺子１００ａは、吐出ノズル４のうち上支持部７０及び下支持部７１よりも前側の箇所の上方に、リム部９の上板部９１と下板部９３とを貫通させて設けられる。リム部９の上板部９１と下板部９３とには、下向き調整用螺子１００ａの軸部を任意の位置で保持する保持孔１０１が設けられている。この下向き調整用螺子１００ａを螺子締めすることによって、吐出ノズル４を上支持部７０及び下支持部７１との接点を支点として、吐出口４１を下側に傾かせることができる。ここで下側に傾かせる量は、下向き調整用螺子１００ａの螺子締めの量によって調整可能である。
【００３４】
また、上向き調整用螺子１００ｂは、吐出ノズル４の先端の吐出口４１の向き（吐出方向）を上側に傾けるためのものである。本実施形態では、上向き調整用螺子１００ｂは、吐出ノズル４のうち上支持部７０及び下支持部７１よりも後側の箇所の上方に、リム部９の上板部９１と下板部９３とを貫通させて設けられる。リム部９の上板部９１と下板部９３とには、上向き調整用螺子１００ｂの軸部を任意の位置で保持する保持孔１０１が設けられている。この上向き調整用螺子１００ｂを螺子締めすることによって、吐出ノズル４を上支持部７０及び下支持部７１との接点を支点として、吐出口４１を上側に傾かせることができる。ここで上側に傾かせる量は、上向き調整用螺子１００ｂの螺子締めの量によって調整可能である。
【００３５】
また、右向き調整用螺子１００ｃは、吐出ノズル４の先端の吐出口４１の向き（吐出方向）を右側に傾けるためのものである。本実施形態では、右向き調整用螺子１００ｃは、吐出ノズル４のうち右側支持部７２及び左側支持部７３よりも後側の箇所の右方に、平面視略Ｌ字状の外周壁部２１のうち前方に延びた側部壁２１１と、スカート部８の側壁部８０とを貫通させて設けられる。側部壁２１１と側壁部８０には、右向き調整用螺子１００ｃの軸部を任意の位置で保持する保持孔１０１が設けられる。この右向き調整用螺子１００ｃを螺子締めすることによって、吐出ノズル４を右側支持部７２及び左側支持部７３との接点を支点として、吐出口４１を右側に傾かせることができる。ここで右側に傾かせる量は、右向き調整用螺子１００ｃの螺子締めの量によって調整可能である。
【００３６】
左向き調整用螺子１００ｄは、吐出ノズル４の先端の吐出口４１の向き（吐出方向）を左側に傾けるためのものである。本実施形態では、左向き調整用螺子１００ｄは、吐出ノズル４のうち右側支持部７２及び左側支持部７３よりも前側の箇所の右方に、平面視略Ｌ字状の外周壁部２１のうち前方に延びた側部壁２１１と、スカート部８の側壁部８０とを貫通させて設けられる。側部壁２１１と側壁部８０には、左向き調整用螺子１００ｄの軸部を任意の位置で保持する保持孔１０１が設けられる。この左向き調整用螺子１００ｄを螺子締めすることによって、吐出ノズル４を右側支持部７２及び左側支持部７３との接点を支点として、吐出口４１を左側に傾かせることができる。ここで左側に傾かせる量は、左向き調整用螺子１００ｄの螺子締めの量によって調整可能である。
【００３７】
上述した４つの向き調整用螺子１００ａ，１００ｂ，１００ｃ，１００ｄをそれぞれ螺子締めの量を調整することによって、吐出ノズル４の先端の吐出口４１の向き（吐出方向）を、支持部７によって挟持された所定の向きから上下左右に微調整することができる。
【００３８】
上述した構成の本実施形態の水洗便器１では、吐出ノズル４の先端部を支持部７で挟持することで、この吐出ノズル４の先端の吐出口４１を、予め設定した所定の向きへと向けることができる。そして、本実施形態の水洗便器１では、吐出方向調整部１００を備えるため、地域や配管構成等による吐出ノズル４から吐出される水圧（流量）のバラツキ等に合わせて、吐出口４１の向き（吐出方向）を上下左右に微調整できる。そのため、吐出ノズル４から吐出される水圧（流量）等に対応して、吐出ノズル４の吐出方向を、ボウル部２内に旋回流を効率良く起こすことのできる方向等へ向けることができる。これにより、洗浄用水をボウル部２の略全周に亘って開口溝部２４内を流すことができる。開口溝部２４を流れる洗浄用水は、一部水溜め部２０に向けて周方向に旋回しながら流れて、ボウル部２内に周方向に流れる旋回流を発生させることができる。したがって、本実施形態の水洗便器１では、ボウル部２の内面を広く洗浄することができる。
【００３９】
また、このように吐出ノズル４の吐出方向を調整することで、洗浄用水がボウル部２の内面に衝突して異音が発生したり、飛び散ったりすることも抑制できる。
【００４０】
また、本実施形態の水洗便器１では、吐出ノズル４の吐出方向を、微調整してボウル部２内に旋回流を効率良く起こすことのできる方向へ向けたうえで、さらに、この吐出ノズル４から吐出された洗浄用水を、誘導流路５によって誘導することができる。これによっても、ボウル部２内に旋回流を効率良く起こすことができる。
【００４１】
また、本実施形態の水洗便器１では、吐出方向調整部１００は、調整するための操作部（螺子の頭部）が、リム部９の上方や、スカート部８の外側に露出している。そのため、本実施形態の水洗便器１では、吐出方向調整部１００の操作が簡単に行えるものとなっている。
【００４２】
なお、例えば、経年の使用によって吐出ノズル４の吐出方向がずれた場合などに、吐出方向調整部１００を調整するにあたって、ボウル部２の内側で調整を行わずともよく、この調整が行いやすい。
【００４３】
上述した第一実施形態の水洗便器１では、吐出ノズル４の吐出口４１の向き（吐出方向）を左右方向に調整する向き調整用螺子１００ｃ，１００ｄを２つとも吐出ノズル４の右側に設けたが、これに限定されない。図３（ａ）及び図３（ｂ）には、この吐出口４１の向きを左右方向に調整する向き調整用螺子１００ｃ，１００ｄのうち、一方を吐出ノズル４の右側に配置し、他方を吐出ノズル４の左側に配置した第二実施形態の水洗便器１が示されている。なお、第一実施形態の水洗便器１と同様の構成については図中に同じ符号を付けている。第二実施形態の水洗便器１の上向き調整用螺子１００ａ、下向き調整用螺子１００ｂ、及び右向き調整用螺子１００ｃは、第一実施形態と同様の構成であるので説明を省略する。
【００４４】
第二実施形態では、左向き調整用螺子１００ｄは、吐出ノズル４のうち右側支持部７２及び左側支持部７３よりも後側の箇所の左方に、補助誘導壁６を貫通させて設けられている。補助誘導壁６には、左向き調整用螺子１００ｄの軸部を任意の位置で保持する保持孔１０１が設けられている。この左向き調整用螺子１００ｄを螺子締めすることによって、吐出ノズル４を右側支持部７２及び左側支持部７３との接点を支点として、吐出口４１を左側に傾かせることができる。ここで左側に傾かせる量は、左向き調整用螺子１００ｄの螺子締めの量によって調整可能である。
【００４５】
上述した構成の第二実施形態の水洗便器１においても、４つの向き調整用螺子１００ａ〜ｄをそれぞれ螺子締めの量を調整することによって、吐出ノズル４の先端の吐出口４１の向きを、支持部７によって挟持された所定の向きから上下左右に微調整することができる。
【００４６】
これにより、吐出ノズル４から吐出される水圧（流量）のバラツキ等に対応して、吐出ノズル４の先端の吐出口４１の向きを調整して、吐出ノズル４の吐出方向を、ボウル部２内に旋回流を効率良く起こすことのできる向き等へと向けることができる。
【００４７】
なお、上述した第一及び第二実施形態の水洗便器１では、吐出ノズル４をノズル挿入用孔３に挿入する際の挿入量を調整することによって、この吐出ノズル４の吐出口４１の前後位置を調整することができる。例えば、吐出ノズル４の先端部が支持部７に挟持される範囲で、吐出口４１を極力後側に位置させることで、誘導流路５による洗浄用水の誘導を長く行うことができ、旋回流を効率良く発生させる方向へと洗浄用水を誘導することができる。
【００４８】
また、上述した第一及び第二実施形態の水洗便器１では、吐出ノズル４の先端部を支持部７である４つの支持部７０，７１，７２，７３で挟持したが、これらは、全てが必要なものではない。支持部７と吐出方向調整部１００とで、吐出ノズル４を所定の方向に向くように挟持できれば、一部はなくてもよい。また吐出方向調整部１００も、４つの向き調整用螺子１００ａ〜ｄ全てが必要ではなく、支持部７と吐出方向調整部１００とで、吐出ノズル４を所定の方向に向くように挟持できれば、一部はなくてもよい。
【００４９】
以上まとめると、第一及び第二実施形態の水洗便器１は、吐出ノズル４からボウル部２の内面に沿って周方向に洗浄用水を流す水洗便器１である。この水洗便器１は、吐出ノズル４を支持する支持部７と、吐出ノズル４のうち支持部７によって支持される箇所からずれた箇所を押圧して吐出ノズル４からの吐出方向を調整する吐出方向調整部１００と、を備える。
【００５０】
このような構成とすることで、第一及び第二実施形態の水洗便器１では、吐出ノズル４を支持部７で支持して、この吐出ノズル４からの吐出方向を、ボウル部２の内面に旋回流を効率良く発生させる方向等に向けることができる。そして、吐出方向調整部１００によって吐出ノズル４のうち支持部７によって支持された箇所からずれた箇所を押圧することによって、吐出ノズル４から吐出される水圧や水量に合わせて、吐出ノズル４からの吐出方向を微調整することができる。また、異音の発生状況や、洗浄用水の飛び散り状況に応じて、吐出ノズル４からの吐出方向を微調整することができる。したがって、第一及び第二実施形態の水洗便器１では、供給される洗浄用水の水圧（流量）等に対応して、洗浄用水の吐出方向を調整でき、ボウル部２内に洗浄用水を旋回させて広く行き渡らせることや、異音を抑えることや、飛び散りを抑えることができる。
【００５１】
上述の水洗便器１は例えば以下のようにして設置可能である。すなわち、まず、予め設定された位置に吐出ノズル４を配置した状態で洗浄用水を吐出させ、そのときの洗浄用水の旋回状況や、異音の発生状況や、洗浄用水の飛び散り状況を観察する。次いで、これらの状況に応じて、吐出方向調整部１００を調整して吐出ノズル４からの吐出方向を微調整する。以上のようにすることで、ボウル部２内に洗浄用水を旋回させて広く行き渡らせることや、異音を抑えることや、飛び散りを抑えることができる水洗便器１の設置が可能となる。
【００５２】
また、第一及び第二実施形態の水洗便器１では、吐出方向調整部１００は、吐出ノズル４の吐出方向を上下に調整する吐出方向上下調整部と、吐出ノズル４の吐出方向を左右に調整する吐出方向左右調整部とを有する。
【００５３】
このような構成とすることで、第一及び第二実施形態の水洗便器１では、支持部７によって支持された吐出ノズル４の吐出方向を、上下左右に自在に微調整できる。これにより、吐出ノズル４の吐出方向を、供給される洗浄用水の水圧（流量）等に対応した最適な方向に調整することができる。
【００５４】
なお、上述した第一及び第二実施形態では、吐出方向調整部１００として螺子を用いた例を示したが、他の手段で支持部７で支持された吐出ノズル４の吐出方向を微調整するようにしてもよい。
【００５５】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００５６】
１                  水洗便器
２                  ボウル部
４                  吐出ノズル
７                  支持部
１００              吐出方向調整部
１００ａ，１００ｂ  吐出方向上下調整部
１００ｃ，１００ｄ  吐出方向左右調整部
【図１】
2014020037.tif 000003
【図２】
2014020037.tif 000004
【図３】
2014020037.tif 000005